(57)【特許請求の範囲】
【請求項１】
表糸が４０乃至６０番手双糸１本の細糸と、裏糸が３０乃至４０デニールのポリウレタン弾性糸と１４乃至３０デニールのナイロン単糸との撚り合わせ強弾性細糸とからなり、グラブ法によるコース方向の引張荷重が７００ｇに対し伸度が１５０％以上である編地からなることを特徴とする伸縮性薄地ソックス。
【発明の詳細な説明】
【０００１】
【発明の属する技術分野】
本発明は、ソックスに関するものであり、さらに詳しくは薄地で伸縮性のよいビジネコース用の紳士ソックスと婦人用ソックスに係るものである。
【０００２】
【従来の技術】
紳士用ソックスの場合、カジュアル用のソックスとビジネコース用のソックスとがある。カジュアル用のソックスは、ラフな感じで大柄なスポーティ向きのソックスなので、主としてゲージを荒く（ローゲージ）編成したものが使用される。
これに対してビジネス用のソックスは、落ち着いた小さな柄が多いので、主としてゲージを中程度（ミドルゲージ）の平均的に編成したものが使用される。また婦人用ソックスも中心となるゲージは、紳士ものの中程度のゲージと同様のものと、ゲージを細かく（ハイゲージ）編成したものが使用される。本発明のソックスは、主としてミドルゲージ乃至ハイゲージの使用されるものが対象である。
【０００３】
しかし、ビジネス用の紳士ソックスは、伸びが小さく、締め付けがきついので履きずらく、フイット性は悪く、しかもずれ落ちやすいことが欠点となっている。
また婦人用ソックスの場合も、一層伸縮性の良いものが望まれている。
【０００４】
例えば、一般のビジネス用紳士ソックスの場合、締め付けがきつので、伸びずらく、無理のない伸びの限界は１００％前後に過ぎず、洗濯を繰り返すと綿が硬くなって、伸びは低下してしまう。そのために履きずらく、ずり落ちやすいものとなっている。
【０００５】
そこで、同一サイズのソックスを作るためには、良い風合いの編地の条件として、針数と番手の間に、有名なチェンバレンの比例関係の法則がある。また、原糸とゲージの関係は、ハイ・ミドル・ロ−ゲージとして、基本的にその範囲も定められている。
【０００６】
例えば、ビジネス用紳士ソックスの場合、編成機械は、径３吋半から４吋、針数１８０〜２４０本で、表糸に４０双糸２本程度、裏糸に３０デニールのポリウレタン弾性糸に７０デニールのナイロン単糸の撚り合わせ、又は４０デニールのポリウレタン弾性糸に７０デニールのナイロン単糸の撚り合わせ程度のものを使用するのが一般的である。
【０００７】
しかし、この程度の糸ではフイット性が悪いので、この伸縮性を良くしたいとして、度目を荒くし、婦人用ソックスと同様に細糸の使用も考えられるが、従来のものでは制約がある。仮に、度目を荒くして表糸に細糸を使用したとしても、裏糸とのバランコースが崩れるために、良い風合いの編地を作ることは出来ない。
また婦人用ソックスにおいても、一層薄地で伸縮性の良いものが望まれている。
【０００８】
【発明が解決しようとする課題】
上記の事情に鑑み、本発明は、薄地で伸縮性が良く、履きやすく、ずれ落ちにくい紳士用ビジネスソックス及び婦人用ソックスの提供を課題とする。
【０００９】
【課題を解決するための手段】
本発明は、上記課題を達成するために、表糸が４０乃至６０番手双糸１本の細糸と、裏糸が３０乃至４０デニールのポリウレタン弾性糸と１４乃至３０デニールのナイロン単糸との撚り合わせ強弾性細糸とからなり、グラブ法によるコース方向の引張荷重が７００ｇに対し伸度が１５０％以上である編地からなる伸縮性薄地ソックスを構成するものである。
【００１０】
【発明の実施の形態】
以下、本発明の実施形態を図に基づいて説明する。図１は本発明の一実施例を示す紳士用ビジネスソックスの平面図であり、図２は本発明品を従来品と比較したグラブ法による荷重〜伸度曲線である。
【００１１】
図１の１は、紳士用ビジネスソックスである短靴下からなる。しかし、本発明のソックスは、その他の紳士用、婦人用、子供用ソツクスにも適用できる。また短靴下に限らず、ハイソックス、オーバーニー、ストッキング、タイツ或いはアンクレット、フートカバーにも適用できる。
【００１２】
本実施例のソックコース１は、口ゴム部２はゴム編、踵部３と足底部４と爪先部５は平編であるが、残る身部６と足甲部７は縦畦柄編にして、コース方向Ｃに一層伸縮しやすくしている。しかし、柄編は、リンクス、スパイラル、メッシュ柄編等を自由に選択することが出来る。
【００１３】
本発明のソックス１を製造するための編糸や編機の条件等は図示してないが、次の通りである。表糸には、紳士用の場合、綿アクリル混紡の４０番手双糸１本程度の細糸を使用したが、婦人用の場合はこれに見合うウーリーナイロン糸になる。これは従来の紳士用ビジネコースソックコースの表糸が、綿アクリル混紡の４０番手双糸２本位なので半分程度の糸使いであり、そのために本発明の表糸は、
細糸使用であるとしたものである。また表糸が４０番双糸１本程度としたのは、この前後の３０番双糸１本、あるいは６０番双糸１本等の細糸使用をも含むものである。
【００１４】
これに対して、従来は、裏糸は、３０デニールのポリウレタン弾性糸７０デニールのナイロン単糸の撚り合わせ、または４０デニールのポリウレタン弾性糸７０デニールのナイロン単糸を撚り合わせたものを使用する。ところが本発明の場合、先の細い表糸にこの普通の太い裏糸を組み合わせたのでは、裏の反りがきつすぎて、良い風合いの編地を作ることは出来ない。
【００１５】
そこで本発明の裏糸には、３０デニールのポリウレタン弾性糸１７デニールのナイロン単糸を撚り合わせた程度の強弾性糸からなる細糸を使用するようにした。
これは、従来紳士物には使われたことのない、撚糸となるナイロン糸のみが細い糸で構成された、パワ−が強く、強弾性からなる細糸である。また裏糸が３０デニールのポリウレタン弾性糸に１７デニールのナイロン単糸の撚り合わせ糸以外に、４０デニールのポリウレタン弾性糸に１４〜３０デニールのナイロン単糸を撚り合わせた強弾性細糸の使用をも含むものである。
【００１６】
本発明に使用される編機は、シリンダ径４吋針数１４４本程度のゲージを使用して、度目を荒く編成される。ここでシリンダ径４吋針数１４４本程度とは、シリンダ径が３吋乃至４吋半の範囲でもよく、針数は１０２本乃至１７６本等の範囲をも含むミドルゲージのものである。
【００１７】
従来の紳士用ビジネスソックスを編成する編機は、針数を１８０本乃至２６０本位で編成しているのであるから、本発明の針数が１４４本程度というのは、針数が少ない編機である。しかし表裏の細い編糸に対しては、編目が大きくなっている。元来、針数が少なくなる程、針は太くなり太番手を使用することになるが、
本発明の場合は、逆に大きな針に細糸を使用をして度目を荒くし、裏糸の強弾性糸と相俟って伸縮性の良いものにしている。
【００１８】
本発明のソックコースは、従来のセット条件とは異なる高温の湯に浸漬して大幅に縮ませる熱処理の収縮工程を特に編成後に設けている。このことによって、収縮状態で安定したセットがなされる。従ってソックスは、これ以上は縮むことがなく安定される。
【００１９】
図２は、ＪＩＳ−Ｌ１０１８のグラブ法による本発明品の紳士用ビジネスソックスと、従来品の紳士用ビジネスソックスとを比較した荷重〜伸度曲線である。テストはインストロン型引張試験機を使用し、試料は身部からコース方向に採取した。つかみは、２．５４ｃｍ幅×５ｃｍ間隔とし、初荷重５ｇを掛けて試料を取り付け、引張速度は３０糎／分とした。
【００２０】
グラブ法の試験に先立ち、本発明品のソックスを、コース方向に無理のない条件で戻りうる程度に引っ張ると、伸度が約１８５％であった。そしてグラブ法による予備テストで荷重〜伸度曲線では、伸度１８５％以上に伸ばすと荷重は急激に上って、やがて破断に至った。この時の荷重は７００ｇであった。また従来品のソックスを、グラブ法による予備テストで荷重〜伸度曲線を画くと、破断前の無理のない荷重域は、６５０ｇ〜７４０ｇの範囲であることが分かった。
【００２１】
図２では、グラブ法によるコース方向の引張荷重が、７００ｇの位置に対する伸度で本発明品と従来品を、洗濯前と５回洗濯した後の洗濯後で比較することにした。曲線１１は洗濯前の本発明品で、１８５％の伸度になっており、許容範囲は１５０〜２００％であった。曲線１２は洗濯後の本発明品で、１８０％の伸度になっている。これに対し、曲線１３は洗濯前の従来品で、１０５％の伸度である。また曲線１４は洗濯後の従来品で、９２％の伸度であった。
【００２２】
従来品のソックスは、強い荷重を加えなければ伸びず、伸びの限界は１００％位で、また洗濯によって生地が固く伸びにくくなる。これに対して、本発明品のソックスは、弱い荷重で伸びやすく、引張荷重７００ｇに対し、伸度が１５０％以上、１８５％程度と伸びやすく、洗濯しても伸びは変わらないものとなつている。なお弾性回復率は、デ−タで表せない程一瞬にしてほぼ元通りに復元した。
【００２３】
【発明の効果】
本発明のソックスは、薄地で伸びやすいためフイット性が特に良く、非常に履きやすいソックスになっている。
【００２４】
本発明のソックスは、緩やかな心地良い締め付けになっているので、血行を阻害せず身体に跡が残ることもない。
【００２５】
本発明のソックスは、ずり落ちる心配が解消された。
【００２６】
本発明のソックスは、婦人用の伸縮性の細糸使いを、従来紳士用等に適用できないとされていたものを脱却したものであって、各種ソックスに広く利用し得る、実用的で有用な発明である。
【図面の簡単な説明】
【図１】本発明の一実施例を示す紳士用ビジネスソックスの平面図である。
【図２】本発明品を従来品と比較したグラブ法による荷重〜伸度曲線である。
【符号の説明】
１      本発明のソックス
２      口ゴム部
３      踵部
４      足底部
５      爪先部
６      身部
７      足甲部
１１    洗濯前の本発明品の荷重〜伸度曲線
１２    洗濯後の本発明品の荷重〜伸度曲線
１３    洗濯前の従来品の荷重〜伸度曲線
１４    洗濯後の従来品の荷重〜伸度曲線
Ｃ      コース方向
【図１】
0003579692.tif 000002
【図２】
0003579692.tif 000003